(57)【要約】【課題】ユーザの手間を必要とすることなく、使用環境に応じた適正なフィルタを使用することができ、利便性の高い電気機器および投写型表示装置を提供する。【解決手段】プロジェクタは、プロジェクタ本体に装着されるフィルタカセット４０を備える。フィルタカセット４０は、互いに性能が異なる第１フィルタ４０９ａと第２フィルタ４０９ｂとで構成されたマルチフィルタ４０９と、マルチフィルタ４０９が巻かれた巻取り軸４０７、４０８とを有する。巻取り軸４０７、４０８は、巻取りモータ７０１によって回転される。制御部８０１は、ほこりセンサ９２からのパルス信号に基づいて、プロジェクタ本体へ吸気される外気に含まれる不要物の種類を判別する。そして、判別された種類に対応するフィルタが使用されるよう、巻取りモータ７０１を駆動して、マルチフィルタ４０９を切り替える。【選択図】図５
2011227312.tif 000002
【特許請求の範囲】
【請求項１】
電気機器において、
互いに性能が異なる複数のフィルタと、
機器本体に流れ込む流体の流路に配されるフィルタを前記複数のフィルタの中から切り替えるフィルタ切替部と、
前記フィルタ切替部を制御する切替制御部と、
前記流体に含まれる不要物の種類を判別するための判別部と、を備え、
前記切替制御部は、前記判別部により判別された種類に対応する前記フィルタが前記流路に配されるよう、前記フィルタ切替部を制御する、
ことを特徴とする電気機器。
【請求項２】
請求項１に記載の電気機器において、
前記複数のフィルタは、互いに目の粗さが異なるフィルタであり、
前記切替制御部は、前記不要物が小さいほど目の細かなフィルタが前記流路に配されるよう、前記フィルタ切替部を制御する、
ことを特徴とする電気機器。
【請求項３】
請求項２に記載の電気機器において、
前記フィルタの目詰まり具合を検出する目詰まり検出部を備え、
前記切替制御部は、前記判別部により判別された種類に対応する前記フィルタが目詰まりを起こしていない場合に、そのフィルタが前記流路に配されるよう、前記フィルタ切替部を制御する、
ことを特徴とする電気機器。
【請求項４】
請求項３に記載の電気機器において、
前記切替制御部は、前記判別部により判別された種類に対応する前記フィルタが目詰まりを起こしている場合に、そのフィルタよりも目の細かなフィルタが前記流路に配されるよう、前記フィルタ切替部を制御する、
ことを特徴とする電気機器。
【請求項５】
請求項１ないし４の何れか一項に記載の電気機器において、
前記フィルタ切替部は、一対の巻取り軸と、これら巻取り軸を回転させる駆動部と、を含み、
前記複数のフィルタは、隣り合うように連結されて前記一対の巻取り軸に巻かれ、
前記一対の巻取り軸が回転することにより前記フィルタが切り替えられる、
ことを特徴とする電気機器。
【請求項６】
請求項１ないし４の何れか一項に記載の電気機器において、
前記フィルタ切替部は、支軸と、当該支軸を回転させる駆動部と、を含み、
前記複数のフィルタは、前記支軸の周囲に配され、
前記支軸が回転することにより前記フィルタが切り替えられる、
ことを特徴とする電気機器。
【請求項７】
投写型表示装置において、
互いに性能が異なる複数のフィルタと、
装置本体に流れ込む流体の流路に配されるフィルタを前記複数のフィルタの中から切り替えるフィルタ切替部と、
前記フィルタ切替部を制御する切替制御部と、
前記流体に含まれる不要物の種類を判別するための判別部と、を備え、
前記切替制御部は、前記判別部により判別された種類に対応する前記フィルタが前記流路に配されるよう、前記フィルタ切替部を制御する、
ことを特徴とする投写型表示装置。
【発明の詳細な説明】
【技術分野】
【０００１】
本発明は、フィルタを備える電気機器および投写型表示装置に関する。
【背景技術】
【０００２】
プロジェクタやエアコン、空気清浄機など、機器内へ外気を取り込む電気機器では、一般に、外気に含まれる不要物（塵、埃など）を取り除くため、吸気口にフィルタが着脱可能に配される。
【０００３】
このような電気機器では、使用環境に応じてフィルタが適宜交換され得る。たとえば、周りに飛散する埃等の状況に応じて、目の粗さの異なる他のフィルタが電気機器に配される（たとえば、特許文献１参照）。
【先行技術文献】
【特許文献】
【０００４】
【特許文献１】特開２００８−２６２０３５号公報
【発明の概要】
【発明が解決しようとする課題】
【０００５】
上記のような電気機器では、ユーザ自身が、使用環境に応じて適応するフィルタに交換する必要があり、これがユーザの負担となっていた。また、どのような埃等が飛散しているかなど、ユーザが使用環境を把握するのが容易でない場合もあり、適正なフィルタ交換がなされない惧れもあった。
【０００６】
本発明は、かかる課題に鑑みてなされたものであり、ユーザの手間を必要とすることなく、使用環境に応じた適正なフィルタを使用することができ、利便性の高い電気機器および投写型表示装置を提供することを目的とする。
【課題を解決するための手段】
【０００７】
本発明の第１の態様は、電気機器に関する。本態様に係る電気機器は、互いに性能が異なる複数のフィルタと、機器本体に流れ込む流体の流路に配されるフィルタを前記複数のフィルタの中から切り替えるフィルタ切替部と、前記フィルタ切替部を制御する切替制御部と、前記流体に含まれる不要物の種類を判別するための判別部とを備える。ここで、前記切替制御部は、前記判別部により判別された種類に対応する前記フィルタが前記流路に配されるよう、前記フィルタ切替部を制御する。
【０００８】
本発明の第１の態様に係る電気機器によれば、流体に含まれる不要物の種類が判別され、判別された種類に対応するフィルタが流路に配される。よって、ユーザの手間を必要とすることなく、使用環境に応じた適正なフィルタを使用することができる。
【０００９】
第１の態様に係る電気機器において、前記複数のフィルタは、互いに目の粗さが異なるフィルタにより構成され得る。この場合、前記切替制御部は、前記不要物が小さいほど目の細かなフィルタが前記流路に配されるよう、前記フィルタ切替部を制御する。
【００１０】
このような構成とすれば、不要物の大きさに応じて、適正な目の粗さのフィルタを使用することができる。即ち、不要物の粒子径が小さい場合には、目の細かなフィルタが使用されるので、小さな不要物を良好に除去できる。また、不要物の粒子径が大きい場合には、目の粗いフィルタが使用されるので、流体の流れに対するフィルタの抵抗を小さくでき
、流体の流れを良くすることができる。
【００１１】
第１の態様に係る電気機器は、さらに、前記フィルタの目詰まり具合を検出する目詰まり検出部を備えるよう構成され得る。この場合、前記切替制御部は、前記判別部により判別された種類に対応する前記フィルタが目詰まりを起こしていない場合に、そのフィルタが前記流路に配されるよう、前記フィルタ切替部を制御する。
【００１２】
このような構成とすれば、目詰まりを起こしておらず、良好な性能を発揮し得るフィルタを使用することができる。
【００１３】
第１の態様に係る電気機器において、前記切替制御部は、前記判別部により判別された種類に対応する前記フィルタが目詰まりを起こしている場合に、そのフィルタよりも目の細かなフィルタが前記流路に配されるよう、前記フィルタ切替部を制御するよう構成され得る。
【００１４】
このような構成とすれば、本来使用されるべきフィルタが目詰まりを起こしている場合には、それより目の細かなフィルタが使用されるので、少なくとも不要物の除去性能は確保して、電気機器の運転を継続させることができる。
【００１５】
第１の態様に係る電気機器において、前記フィルタ切替部は、一対の巻取り軸と、これら巻取り軸を回転させる駆動部とを含むよう構成され得る。この場合、前記複数のフィルタは、隣り合うように連結されて前記一対の巻取り軸に巻かれ、前記一対の巻取り軸が回転することにより前記フィルタが切り替えられる。
【００１６】
また、前記フィルタ切替部は、支軸と、当該支軸を回転させる駆動部とを含むよう構成され得る。この場合、前記複数のフィルタは、前記支軸の周囲に配され、前記支軸が回転することにより前記フィルタが切り替えられる。
【００１７】
本発明の第２の態様は、投写型表示装置に関する。本態様に係る投写型表示装置は、互いに性能が異なる複数のフィルタと、装置本体に流れ込む流体の流路に配されるフィルタを前記複数のフィルタの中から切り替えるフィルタ切替部と、前記フィルタ切替部を制御する切替制御部と、前記流体に含まれる不要物の種類を判別するための判別部とを備える。ここで、前記切替制御部は、前記判別部により判別された種類に対応する前記フィルタが前記流路に配されるよう、前記フィルタ切替部を制御する。
【００１８】
本発明の第２の態様に係る投写型表示装置によれば、第１の態様と同様、ユーザの手間を必要とすることなく、使用環境に応じた適正なフィルタを使用することができる。
【発明の効果】
【００１９】
以上のとおり、本発明によれば、ユーザの手間を必要とすることなく、使用環境に応じた適正なフィルタを使用することができ、利便性の高い電気機器および投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの構成を示す外観斜視図である。
【図２】実施の形態に係る光学エンジンの構成を示す図である。
【図３】実施の形態に係るフィルタカセットの構成を示す図である。
【図４】実施の形態に係るフィルタカセットの構成を示す図である。
【図５】実施の形態に係るプロジェクタの構成を示すブロック図である。
【図６】実施の形態に係るマルチフィルタを切り替えるための制御処理を示すフローチャートである。
【図７】変更例１に係るマルチフィルタを切り替えるための制御処理を示すフローチャートである。
【図８】変更例１に係るマルチフィルタの切替え制御に用いられる各種情報の内容を示す図である。
【図９】変更例１に係るフィルタの目詰まりを検出するための制御処理を示すフローチャートである。
【図１０】変更例２に係るマルチフィルタを切り替えるための制御処理を示すフローチャートである。
【図１１】変更例２に係るマルチフィルタを切り替えるための制御処理を示すフローチャートである。
【図１２】変更例２に係るフィルタの目詰まりを検出するための制御処理を示すフローチャートである。
【図１３】変更例３に係るプロジェクタの構成を示す図である。
【図１４】変更例３に係るプロジェクタの構成を示すブロック図である。
【発明を実施するための形態】
【００２２】
以下、図面を参照して、本発明の実施の形態について説明する。
【００２３】
図１は、プロジェクタの構成を示す外観斜視図である。
【００２４】
図１を参照して、プロジェクタは、横長の略直方体形状を有するキャビネット１０を備えている。キャビネット１０には、前面中央に投写窓１０１が形成されている。また、キャビネット１０の左側面は、前端部および後端部を除いて吸気口カバー１０２により構成されている。吸気口カバー１０２は、その下端部にヒンジ構造（図示ぜず）を有し、図中の一点鎖線に示すように、下端部を支点にして左方向に開放する。吸気口カバー１０２には、多数の孔からなる吸気口１０３が形成されている。
【００２５】
キャビネット１０の内部には、光学エンジン２０および投写レンズ３０が配されている。光学エンジン２０は、ランプからの光を映像信号に基づいて変調することにより映像光を生成する。光学エンジン２０には、投写レンズ３０が装着されており、投写レンズ３０の前端部が、投写窓１０１から前方に露出している。投写レンズ３０は、光学エンジン２０で生成された映像光を、プロジェクタの前方に配されたスクリーンに拡大投写する。
【００２６】
図２は、光学エンジン２０の構成を示す図である。
【００２７】
図２に示すように、光学エンジン２０は、ランプ２０１と、導光光学系２０２と、３つの透過型の液晶パネル２０３、２０４、２０５と、ダイクロイックプリズム２０６とを備えている。なお、液晶パネル２０３、２０４、２０５の入射側と出射側には図示しない偏光板が配されている。
【００２８】
ランプ２０１は、たとえば、メタルハライドランプやキセノンランプである。ランプ２０１から出射された白色光は、導光光学系２０２によって赤色波長帯の光（以下、「Ｒ光」という）と、緑色波長帯の光（以下、「Ｇ光」という）と、青色波長帯の光（以下、「Ｂ光」という）に分離され、液晶パネル２０３、２０４、２０５に照射される。これら液晶パネル２０３、２０４、２０５によって変調されたＲ光、Ｇ光、Ｂ光は、ダイクロイッ
クプリズム２０６によって色合成され、映像光として出射される。
【００２９】
なお、光学エンジン２０を構成する光変調素子としては、上記透過型の液晶パネル２０３、２０４、２０５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３０】
図１に戻り、キャビネット１０内の左側面側には、フィルタ装着部１０４が設けられている。フィルタ装着部１０４には、フィルタカセット４０が着脱可能に装着されている。フィルタカセット４０の前面は、吸気口カバー１０２により覆われている。フィルタカセット４０を交換する際には、吸気口カバー１０２が開放されて、フィルタカセット４０がフィルタ装着部１０４から取り外される。
【００３１】
なお、以降の説明において、フィルタカセット４０を除くプロジェクタの構成を、便宜上、「プロジェクタ本体」と称する。
【００３２】
図３および図４は、フィルタカセット４０の構成を示す図である。図３（ａ）、（ｂ）は、それぞれ、フィルタカセット４０の正面図および背面図である。図３（ｃ）は、上方から見たフィルタカセット４０の内部透視図である。図４（ａ）は、マルチフィルタ４０９の構成を示す図である。図４（ｂ）、（ｃ）は、前方から見たフィルタカセット４０の内部透視図である。図４（ｂ）は、第１フィルタ４０９ａが通風路４０４に配置された状態を示し、図４（ｃ）は、第２フィルタ４０９ｂが通風路４０４に配置された状態を示す。
【００３３】
図３を参照して、フィルタカセット４０は、正面から見て長方形のケース４０１を備えている。ケース４０１の前面中央部には吸気入口４０２が形成されており、後面中央部には吸気出口４０３が形成されている。吸気入口４０２と吸気出口４０３との間には、外気が通る通風路４０４が形成されている。ケース４０１において、通風路４０４の両側には、フィルタ収納部４０５、４０６が形成されている。フィルタ収容部４０５、４０６には、一対の巻取り軸４０７、４０８および一対のガイド軸４１０、４１１が回転可能に配されている。
【００３４】
一対の巻取り軸４０７、４０８には、通風路４０４を通すようにして、シート状のマルチフィルタ４０９が取り付けられている。
【００３５】
図４（ａ）に示すように、マルチフィルタ４０９は、互いに性能の異なる第１フィルタ４０９ａおよび第２フィルタ４０９ｂを隣り合うように連結することにより構成されている。これらフィルタ４０９ａ、４０９ｂは、たとえば、樹脂製の糸を網状に編むことにより構成されている。第１フィルタ４０９ａは、目の細かなフィルタであり、粒子径が数μ程度のたばこの煙を除去できる目の大きさを有している。第２フィルタ４０９ｂは、第１フィルタ４０９ａよりも目の粗いフィルタであり、粒子径が数十μ程度のハウスダストを除去できる目の大きさを有している。
【００３６】
第１フィルタ４０９ａと第２フィルタ４０９ｂは、双方の端部が所定の幅だけ重ね合わされて連結される。重ね合わされた部分、即ち、連結部４０９ｃは、たとえば、接着材によって接着される。あるいは、連結部４０９ｃは、たとえば、糸自身から埃が出ないよう、樹脂製の糸により縫合される。
【００３７】
連結部４０９ｃは、熱溶着することもできる。しかし、この場合、溶けたフィルタ部分
が板のようになって硬くなり、マルチフィルタ４０９が巻取り軸４０７、４０８に巻かれにくくなる。よって、連結部４０９ｃが硬くならない接着や縫合によって第１フィルタ４０９ａと第２フィルタ４０９ｂとを連結することが望ましい。
【００３８】
なお、第１フィルタ４０９ａおよび第２フィルタ４０９ｂは、ウレタンや不織布によって構成されても良い。
【００３９】
図４（ｂ）に示すように、第２フィルタ４０９ｂが、巻取り軸４０８に巻き取られると、第１フィルタ４０９ａが通風路４０４に配置される。一方、図４（ｃ）に示すように、第１フィルタ４０９ａが、巻取り軸４０７に巻き取られると、第２フィルタ４０９ｂが通風路４０４に配置される。なお、マルチフィルタ４０９は、ガイド軸４１０、４１１によってガイドされ、巻取り軸４０７と巻取り軸４０８との間を円滑に移動する。
【００４０】
こうして、フィルタカセット４０がフィルタ装着部１０４に装着された状態において（図１参照）、後述する各冷却ファンが回転すると、吸気口１０３から外気が取り込まれる。取り込まれた外気は、フィルタカセット４０の吸気入口４０２、マルチフィルタ４０９、吸気出口４０３を通り、フィルタ装着部１０４に設けられた吸気口（図示せず）からキャビネット１０内に取り込まれる。
【００４１】
図５は、プロジェクタの構成を示すブロック図である。
【００４２】
プロジェクタは、上述した構成に加えて、ランプ冷却ファン５１、電源冷却ファン５２およびパネル冷却ファン５３の３つの冷却ファンと、報知部６０と、フィルタ駆動機構７０と、制御回路部８０と、目詰まりセンサ９１と、ほこりセンサ９２とを備えている。
【００４３】
ランプ冷却ファン５１は、吸気した外気をランプ２０１へ供給し、ランプ２０１を冷却する。電源冷却ファン５２は、吸気した外気を電源部（図示せず）へ供給し、電源部を冷却する。パネル冷却ファン５３は、吸気した外気を液晶パネル２０３、２０４、２０５へ供給し、液晶パネル２０３、２０４、２０５を冷却する。
【００４４】
報知部６０は、ＬＥＤなどの表示素子やスピーカによって構成されており、フィルタカセット４０の交換を促すなど、プロジェクタの運転に関する各種の報知を行う。
【００４５】
フィルタ駆動機構７０は、巻取りモータ７０１を備えている。フィルタカセット４０がフィルタ装着部１０４へ装着されると、２つの巻取り軸４０７、４０８が、フィルタ駆動機構７０の伝達機構（図示せず）を介して巻取りモータ７０１に連結される。巻取りモータ７０１が一方向へ回転すると、２つの巻取り軸４０７、４０８が一方向へ回転し、マルチフィルタ４０９が巻取り軸４０８側へ巻き取られる。一方、巻取りモータ７０１が他方向へ回転すると、２つの巻取り軸４０７、４０８が他方向へ回転し、マルチフィルタ４０９が巻取り軸４０７側へ巻き取られる。
【００４６】
制御回路部８０は、制御部８０１、記憶部８０２、操作入力部８０３、リモコン受信部８０４、時間計測部８０５、映像信号入力部８０６、映像信号処理部８０７、パネル駆動部８０８、ファン駆動部８０９、ランプ駆動部８１０、報知駆動部８１１、モータ駆動部８１２を備えている。
【００４７】
操作入力部８０３は、操作部（図示せず）のボタン操作に応じた入力信号を制御部８０１に出力する。リモコン受信部８０４は、リモコン（図示せず）のボタン操作に応じた入力信号を制御部８０１に出力する。時間計測部８０５は、時間を計測して制御部８０１に出力する。
【００４８】
映像信号入力部８０６は、ＲＢＧ信号、コンポジット信号等の各種映像信号に対応する各種入力端子を有し、外部から入力された映像信号を映像信号処理部８０７へ出力する。映像信号処理部８０７は、映像信号入力部８０６から入力された映像信号を液晶パネル２０３、２０４、２０５で表示できるＲＧＢの映像信号に変換してパネル駆動部８０８に出力する。パネル駆動部８０８は、入力された映像信号および制御部８０１からの制御信号に従って液晶パネル２０３、２０４、２０５を駆動する。
【００４９】
ファン駆動部８０９は、制御部８０１からの制御信号に従って、ランプ冷却ファン５１、電源冷却ファン５２およびパネル冷却ファン５３を駆動する。ランプ駆動部８１０は、制御部８０１からの制御信号に従ってランプ２０１を駆動する。
【００５０】
報知駆動部８１１は、制御部８０１からの制御信号に従って報知部６０のＬＥＤやスピーカを駆動する。モータ駆動部８１２は、制御部８０１からの制御信号に従って、巻取りモータ７０１を駆動する。
【００５１】
記憶部８０２は、ＲＡＭ、ＲＯＭ等で構成されている。記憶部８０２には、制御部８０１に制御機能を付与するための制御プログラムが記憶されている。制御部８０１は、ＣＰＵを備え、かかる制御プログラムに従って各部を制御する。
【００５２】
目詰まりセンサ９１は、マルチフィルタ４０９の目詰まり具合に応じた目詰まり信号を制御部８０１に出力する。目詰まりセンサ９１は、たとえば、風量センサによって構成される。風量センサは、たとえば、フィルタ装着部１０４の吸気口に配される。この場合、マルチフィルタ４０９の目詰まりが進行すると、吸気口を通過する風量が低下する。風量センサからは、目詰まり検出信号として、風量に応じた検出電圧が出力される。
【００５３】
ほこりセンサ９２は、吸気口カバー１０２の吸気口１０３に配される。ほこりセンサ９２は、外気が通過する検出窓と、検出窓に臨む発光素子および受光素子とを備えている。発光素子から検出窓内に出射された光が、外気に含まれる不要物（ハウスダストやたばこの煙）で反射し、受光素子に取り込まれる。受光センサからは、受光タイミングに応じたパルス信号が制御部８０１に出力される。制御部８０１は、所定時間当たりパルス信号の回数から検出窓を通る不要物の密度（濃度）の高低を判定する。そして、制御部８０１は、不要物の濃度が高ければ、その不要物がたばこの煙であると判別し、不要物の濃度が低ければ、その不要物がハウスダストであると判別する。
【００５４】
さて、本実施の形態では、吸気する外気中に含まれる不要物の種類に応じて、フィルタカセット４０のマルチフィルタ４０９の切り替えが行われる。
【００５５】
図６は、マルチフィルタ４０９を切り替えるための制御処理を示すフローチャートである。フィルタ切替えの制御処理は、プロジェクタが運転され、キャビネット１０内への吸気が開始される度に実行される。
【００５６】
図６を参照して、制御部８０１は、ほこりセンサ９２により不要物の検出を行い、不要物が種類を判別する（Ｓ１０１）。そして、制御部８０１は、上記判別結果に基づいて、最適なフィルタを設定する（Ｓ１０２）。即ち、不要物がたばこの煙であると判別すれば、目の細かな第１フィルタ４０９ａを最適フィルタに設定する。一方、不要物がハウスダストであると判別すれば、目の粗い第２フィルタ４０９ｂを最適フィルタに設定する。
【００５７】
次に、制御部８０１は、現在使用されているフィルタ（以下、「使用フィルタ」という）が、設定された最適フィルタであるか否かを判定する（Ｓ１０３）。使用フィルタが何
れのフィルタ４０９ａ、４０９ｂであるかの情報は、記憶部８０２に記憶されている。
【００５８】
制御部８０１は、使用フィルタが最適フィルタであれば（Ｓ１０３：ＹＥＳ）、処理を終了する。一方、制御部８０１は、使用フィルタが最適フィルタでなければ（Ｓ１０３：ＮＯ）、最適フィルタが使用されるように、巻取りモータ７０１を駆動して、マルチフィルタ４０９を切り替える（Ｓ１０４）。そして、新たに通風路４０４に配置されたフィルタを使用フィルタに設定し、その情報を記憶部８０２に記憶する（Ｓ１０５）。
【００５９】
以上の説明した通り、本実施の形態では、外気に含まれる不要物の種類が判別され、判別された種類に対応するフィルタが通風路４０４に配置される。よって、ユーザの手間を必要とすることなく、使用環境に応じた適正なフィルタを使用することができる。即ち、不要物がたばこの煙であり、粒子径が小さい場合には、目の細かな第１フィルタ４０９ａが使用されるので、たばこの煙を良好に除去できる。また、不要物がハウスダストであり、粒子径が大きい場合には、目の粗い第２フィルタ４０９ｂが使用されるので、空気の流れに対するフィルタの抵抗を小さくでき、空気の流れを良くすることができる。このように、空気の流れが良くなって風量が増加すれば、その分、冷却ファン５１、５２、５３の回転数を低減して静音化を図ることが可能となる。
【００６０】
＜変更例１＞
図７は、変更例１に係るマルチフィルタ４０９を切り替えるための制御処理を示すフローチャートである。
【００６１】
本変更例では、図６の制御処理に対して、ステップＳ１０６からＳ１０８の処理が追加されている。また、図８の表に示すように、記憶部８０２には、使用フィルタが何れのフィルタ４０９ａ、４０９ｂであるかの情報の他、各フィルタ４０９ａ、４０９ｂに対応する目詰まり閾値が記憶されている。記憶部８０２には、さらに、第１フィルタ４０９ａの目詰まりを判定するための第１目詰まりフラグおよび第２フィルタ４０９ｂの目詰まりを判定するための第２目詰まりフラグが配されている。これら目詰まりフラグは、フィルタ４０９ａ、４０９ｂが目詰まりを起こしていなければ、「０」の状態にリセットされ、フィルタ４０９ａ、４０９ｂが目詰まりしていれば、「１」の状態にセットされる。
【００６２】
図７を参照して、本変更例では、制御部８０１は、ステップＳ１０３で使用フィルタが最適フィルタであると判定すると（Ｓ１０３：ＹＥＳ）、次に、使用フィルタに対応する目詰まりフラグがリセットされているか否かを判定する（Ｓ１０６）。
【００６３】
制御部８０１は、目詰まりフラグがリセットされていれば（Ｓ１０６：ＹＥＳ）、そのまま処理を終了する。一方、目詰まりフラグがセットされていれば（Ｓ１０６：ＮＯ）、使用フィルタが目詰まりを起こしているため、制御部８０１は、フィルタカセット４０の交換を促す報知を報知部６０により行う（Ｓ１０７）。この報知に気づいたユーザは、運転を終了して、フィルタカセット４０を新たなフィルタカセット４０に交換する。なお、新たなフィルタカセット４０が装着され、ユーザによって、リセット操作がなされると、目詰まりフラグはリセットされる。
【００６４】
さらに、本変更例では、制御部８０１は、ステップＳ１０３で使用フィルタが最適フィルタでないと判定すると（Ｓ１０３：ＮＯ）、次に、これから使用される最適フィルタに対応する目詰まりフラグがリセットされているか否かを判定する（Ｓ１０８）。そして、目詰まりフラグがリセットされていれば（Ｓ１０８：ＹＥＳ）、最適フィルタへの切り替えを行う（Ｓ１０４）。一方、制御部８０１は、目詰まりフラグがセットされていれば（Ｓ１０８：ＮＯ）、これから使用される最適フィルタが目詰まりを起こしているため、フィルタカセット４０の交換を促す報知を報知部６０により行う。
【００６５】
図９は、変更例１に係るフィルタの目詰まりを検出するための制御処理を示すフローチャートである。目詰まりフラグは、予めリセット状態にあり、運転中にフィルタの目詰まりが検出されるとセットされる。
【００６６】
図９を参照して、制御部８０１は、目詰まりセンサ９１から目詰まり検出信号（検出電圧）を取得する（Ｓ２０１）。そして、取得した目詰まり検出信号と、使用フィルタに対応する目詰まり閾値とを比較する（Ｓ２０２）。使用フィルタが詰まりを起こしておらず、目詰まり検出信号が目詰まり閾値より大きければ（Ｓ２０２：ＮＯ）、制御部８０１は、運転終了操作がなされて運転が終了するまで（Ｓ２０５：ＹＥＳ）、目詰まり検出信号を取得して目詰まり閾値と比較するという、一連の処理を繰り返す。
【００６７】
一方、使用フィルタが目詰まりして、目詰まり検出信号が目詰まり閾値以下になると（Ｓ２０２：ＹＥＳ）、制御部８０１は、使用フィルタに対応する目詰まりフラグをセットする（Ｓ２０３）。そして、フィルタカセット４０の交換を促す報知を報知部６０により行う（Ｓ２０４）。この時点で、ユーザがフィルタカセット４０を交換しなければ、次の運転時に行われるフィルタ切り換えの制御処理において、目詰まりフラグがセットされた状態となるため、再度、フィルタカセット４０の交換を促す報知が行われることとなる。
【００６８】
以上のとおり、本変更例の構成とすれば、目詰まりを起こしておらず、良好な性能を発揮し得るフィルタを使用することができる。
【００６９】
＜変更例２＞
図１０および図１１は、変更例２に係るマルチフィルタ４０９を切り替えるための制御処理を示すフローチャートである。
【００７０】
本変更例では、図７の制御処理に対して、ステップＳ１０９からＳ１１５の処理が追加されている。
【００７１】
図１０を参照して、本変更例では、制御部８０１は、ステップＳ１０６で使用フィルタに対応する目詰まりフラグがセットされていると判定すると（Ｓ１０６：ＮＯ）、使用フィルタが第１フィルタ４０９ａであるか否かを判定する（Ｓ１０９）。
【００７２】
最初のステップＳ１０１で、不要物がたばこの煙であると判別された場合には、使用フィルタが第１フィルタ４０９ａとなっており、不要物がハウスダストであると判別された場合には、使用フィルタが第２フィルタ４０９ｂとなっている。
【００７３】
使用フィルタが第１フィルタ４０９ａである場合、外気に含まれているのは、粒子径が小さいたばこの煙であるため、目の粗い第２フィルタ４０９ｂに切り替えても、たばこの煙を除去することができない。一方、使用フィルタが第２フィルタ４０９ｂである場合には、外気に含まれているのは、粒子径が大きなハウスダストであるため、目の細かな第１フィルタ４０９ａに切り替えれば、ハウスダストの除去は可能となる。
【００７４】
使用フィルタが第１フィルタ４０９ａであれば、もはやマルチフィルタ４０９を切り替える余地はない。よって、制御部８０１は、使用フィルタが第１フィルタ４０９ａであると判定すると（Ｓ１０９：ＹＥＳ）、フィルタカセット４０の交換を促す報知を報知部６０により行う（Ｓ１０７）。
【００７５】
一方、使用フィルタが第２フィルタ４０９ｂであれば、第１フィルタ４０９ａに切り替える余地が残っている。よって、制御部８０１は、使用フィルタが第２フィルタ４０９ｂ
であると判定すると（Ｓ１０９：ＮＯ）、第１フィルタ４０９ａに対応する第１目詰まりフラグを判定する（Ｓ１１０）。制御部８０１は、第１フィルタ４０９ａが目詰まりを起こしておらず、目詰まりフラグがリセットされていれば（Ｓ１１０：ＹＥＳ）、第１フィルタ４０９ａに切り替える（Ｓ１１１）。そして、新たに通風路４０４に配置された第１フィルタ４０９ａを使用フィルタに設定し、その情報を記憶部８０２に記憶する（Ｓ１１２）。
【００７６】
なお、第１フィルタ４０９ａが目詰まりを起こしている場合には、ステップＳ１１０で第１目詰まりフラグがセットされていると判定される。この場合、第１フィルタ４０９ａは使用できないので、制御部８０１は、フィルタカセット４０の交換を促す報知を報知部６０により行う（Ｓ１０７）。
【００７７】
図１１を参照して、本変更例では、さらに、制御部８０１は、ステップＳ１０８において、これから使用される最適フィルタに対応する目詰まりフラグがセットされていると判定すると（Ｓ１０８：ＮＯ）、最適フィルタが第２フィルタ４０９ｂであるか否かを判定する（Ｓ１１３）。
【００７８】
これから使用される最適フィルタが第２フィルタ４０９ｂである場合には、現在の使用フィルタが第１フィルタ４０９ａであることになる。この場合、最適フィルタが第２フィルタ４０９ｂであるということは不要物がハウスダストであるので、このまま第１フィルタ４０９ａを使用しても不要物を除去することができる。
【００７９】
よって、制御部８０１は、最適フィルタが第２フィルタ４０９ｂであると判定すると（Ｓ１１３：ＹＥＳ）、第１目詰まりフラグを判定する（Ｓ１１４）。そして、第１フィルタ４０９ａが目詰まりを起こしておらず、目詰まりフラグがリセットされていれば（Ｓ１１４：ＹＥＳ）、マルチフィルタ４０９の切り替えを行わず、第１フィルタ４０９ａをそのまま使用する（Ｓ１１５）。
【００８０】
一方、これから使用される最適フィルタが第１フィルタ４０９ａである場合には、現在の使用フィルタが第２フィルタ４０９ｂであることになる。この場合、最適フィルタが第１フィルタ４０９ａであるということは不要物がたばこの煙であるので、このまま第２フィルタ４０９ｂを使用しても不要物を除去することができない。
【００８１】
よって、制御部８０１は、最適フィルタが第１フィルタ４０９ａであると判定すると（Ｓ１１３：ＮＯ）、フィルタカセット４０の交換を促す報知を報知部６０により行う（Ｓ１０７）。
【００８２】
なお、ステップＳ１１４で第１目詰まりフラグがセットされている場合も、第１フィルタ４０９ａは使用できないので、制御部８０１は、フィルタカセット４０の交換を促す報知を報知部６０により行う（Ｓ１０７）。
【００８３】
図１２は、変更例２に係るフィルタの目詰まりを検出するための制御処理を示すフローチャートである。
【００８４】
本変更例では、図９の制御処理に対して、ステップＳ２０６からＳ２０８の処理が追加されている。
【００８５】
図１２を参照して、本変更例では、制御部８０１は、現在使用されているフィルタが目詰まりを起こしたため、ステップＳ２０３において、そのフィルタに対応する目詰まりフラグをセットすると、次に、使用されているフィルタが第２フィルタ４０９ｂであるか否
かを判定する（Ｓ２０６）。
【００８６】
現在、第２フィルタ４０９ｂが使用されている場合には、不要物はハウスダストであることになり、第１フィルタ４０９ａに切り替えても不要物を除去することができる。よって、制御部８０１は、使用されているフィルタが第２フィルタ４０９ｂであると判定すると（Ｓ２０６：ＹＥＳ）、第１目詰まりフラグを判定する（Ｓ２０７）。そして、第１フィルタ４０９ａが目詰まりを起こしておらず、目詰まりフラグがリセットされていれば（Ｓ２０７：ＹＥＳ）、第１フィルタ４０９ａに切り替える（Ｓ２０８）。
【００８７】
なお、制御部８０１は、ステップＳ２０６で、使用されているフィルタが第１フィルタ４０９ａであると判定した場合（Ｓ２０６：ＮＯ）、および、ステップＳ２０７で第１目詰まりフラグがセットされていると判定した場合（Ｓ２０７：ＮＯ）には、もはやマルチフィルタ４０９を切り替える余地はないため、フィルタカセット４０の交換を促す報知を報知部６０により行う（Ｓ２０４）。
【００８８】
以上のとおり、本変更例の構成とすれば、本来、最適フィルタとして使用されるべき第２フィルタ４０９ｂが目詰まりを起こしている場合には、それより目の細かな第１フィルタ４０９ａが使用されるので、吸気風量は多少低下する惧れがあるものの、不要物の除去性能は確保でき、プロジェクタの運転を継続させることが可能となる。
【００８９】
＜変更例３＞
図１３は、変更例３に係るプロジェクタの構成を示す図である。図１３（ａ）は、フィルタカセット４５の正面図である。また、図１３（ｂ）、（ｃ）は、それぞれ、前方および上方から見たフィルタカセット４５の内部透視図である。さらに、図１３（ｄ）は、フィルタカセット４５が装着された状態を示すプロジェクタの要部の正面図である。
【００９０】
図１３（ａ）から（ｃ）を参照して、フィルタカセット４５は、正面から見てほぼ正方形のケース４５１を備えている。ケース４５１の前面には、一側面寄りにほぼ半円形の吸気入口４５２が形成されている。また、ケース４５１の後面には、吸気入口４５２に対応する位置に吸気出口４５３が形成されている。吸気入口４５２と吸気出口４５３との間には、外気が通る通風路４５４が形成されている。ケース４５１内には、通風路４５４と同じ方向に沿うように、支軸４５５が回転可能に配されている。
【００９１】
支軸４５５には、円盤状のマルチフィルタ４５６が取り付けられている。図１３（ｂ）に示すように、マルチフィルタ４５６は、互いに性能の異なる、ほぼ半円盤状の第１フィルタ４５６ａおよび第２フィルタ４５６ｂを連結することにより構成されている。これらフィルタ４５６ａ、４５６ｂは、たとえば、樹脂製の糸を網状に編むことにより構成されている。第１フィルタ４５６ａは、目の細かなフィルタであり、たばこの煙を除去できる目の大きさを有している。第２フィルタ４５６ｂは、第１フィルタ４５６ａよりも目の粗いフィルタであり、ハウスダストを除去できる目の大きさを有している。なお、第１フィルタ４５６ａおよび第２フィルタ４５６ｂは、ウレタンや不織布によって構成されても良い。
【００９２】
第１フィルタ４５６ａと第２フィルタ４５６ｂとの連結部４５６ｃは、たとえば、接着材によって接着される。あるいは、連結部４５６ｃは、たとえば、糸自身から埃が出ないよう、樹脂製の糸により縫合される。
【００９３】
支軸４５６が回転することにより、通風路４５４に配置されるフィルタ４５６ａ、４５６ｂが切り替えられる。
【００９４】
図１３（ｄ）に示すように、プロジェクタ本体には、キャビネット１０の底面に吸気口１０５が形成されており、吸気口１０５の上方にフィルタ装着部１０６が設けられている。フィルタカセット４５は、キャビネット１０の左側面に設けられた挿入口１０７からフィルタ装着部１０６に収容される。挿入口１０７は、カバー１０８によって開閉される。
【００９５】
フィルタカセット４５がフィルタ装着部１０６に装着された状態において、吸気入口４５２が吸気口１０５に整合する。吸気口１０６から取り込まれた外気は、フィルタカセット４５の吸気入口４５２、マルチフィルタ４５６、吸気出口４５３を通って、フィルタ装着部１０６に設けられた吸気口（図示せず）からキャビネット１０内に取り込まれる。
【００９６】
図１４は、変更例３に係るプロジェクタの構成を示すブロック図である。
【００９７】
本変更例では、上記実施の形態のフィルタ駆動機構７０に替えて、フィルタ駆動機構７１が設けられている。それ以外の構成については、上記の実施形態と同様である。
【００９８】
フィルタ駆動機構７１は、回転モータ７１１を備えている。フィルタカセット４５がフィルタ装着部１０６へ装着されると、支軸４５５が、フィルタ駆動機構７１の伝達機構（図示せず）を介して回転モータ７１１に連結される。
【００９９】
こうして、回転モータ７１１が回転すると、支軸４５５が回転し、マルチフィルタ４５６が切り替えられる。
【０１００】
本変更例においても、上記実施の形態、変更例１および変更例２で説明したフィルタの切替え制御が実行される。
【０１０１】
したがって、本変更例においても、上記実施の形態、変更例１および変更例２と同様の作用効果を奏することができる。
【０１０２】
＜その他＞
以上、本実施の形態について説明したが、本発明は上記実施の形態に何ら制限されるものではなく、また、本発明の実施形態も、上記実施の形態に以外に、種々の変更が可能である。
【０１０３】
たとえば、上記実施の形態では、マルチフィルタ４０９が、性能の異なる２つのフィルタ４０９ａ、４０９ｂで構成されているが、これに限らず、性能の異なる３つ以上のフィルタで構成されても良い。また、変更例３のマルチフィルタ４５６についても、同様に、性能の異なる３つ以上のフィルタで構成されても良い。
【０１０４】
また、上記実施の形態では、目詰まりセンサ９１として、風量センサが用いられているが、これに限らず、温度センサが用いられてもよい。この場合、たとえば、温度センサによって、液晶パネル２０３、２０４、２０５やランプ２０１の温度が測定され得る。フィルタが目詰まりを起こして吸気量が低下すると、パネル用冷却ファン５３やランプ冷却ファン５１の冷却能力が低下するため、温度センサによる測定温度が上昇する。温度センサからは、測定温度に応じた検出信号（検出電圧）が制御部８０１へ出力される。
【０１０５】
さらに、上記実施の形態では、本発明をプロジェクタに適用しているが、これに限らず、本発明を、エアコンや空気清浄機など、フィルタを有する他の電気機器に適用するようにしてもよい。
【０１０６】
この他、本発明の実施の形態は、特許請求の範囲に示された技術的思想の範囲内におい
て、適宜、種々の変更が可能である。
【符号の説明】
【０１０７】
４０  フィルタカセット
４０７、４０８  巻取り軸（フィルタ切替部）
４０９  マルチフィルタ
４０９ａ  第１フィルタ（フィルタ）
４０９ｂ  第２フィルタ（フィルタ）
４５  フィルタカセット
４５５  支軸（フィルタ切替部）
４５６  マルチフィルタ
４５６ａ  第１フィルタ（フィルタ）
４５６ｂ  第２フィルタ（フィルタ）
７０  フィルタ駆動機構
７０１  巻取りモータ（駆動部、フィルタ切替部）
７１  フィルタ駆動機構
７１１  回転モータ（駆動部、フィルタ切替部）
８０  制御回路部
８０１  制御部（切替制御部、判別部）
９２  ほこりセンサ（判別部）
【図１】
2011227312.tif 000003
【図２】
2011227312.tif 000004
【図３】
2011227312.tif 000005
【図４】
2011227312.tif 000006
【図５】
2011227312.tif 000007
【図６】
2011227312.tif 000008
【図７】
2011227312.tif 000009
【図８】
2011227312.tif 000010
【図９】
2011227312.tif 000011
【図１０】
2011227312.tif 000012
【図１１】
2011227312.tif 000013
【図１２】
2011227312.tif 000014
【図１３】
2011227312.tif 000015
【図１４】
2011227312.tif 000016